Podtech/llm-jp-corpus-v4-ja_patent huggingface dataset:
(57)【要約】【課題】  今まで使用していた一般的な哺乳瓶に着脱可能なハンドルを装着し、乳児が自分で持って飲めるようにする。【解決手段】  伸縮する素材でできた簡易装着できるハンドルを一般的な哺乳瓶に取付ける。【選択図】    図２
0003103107.tif 000002
【実用新案登録請求の範囲】
【考案の詳細な説明】
【技術分野】
【０００１】  本考案は、乳児が使用する哺乳瓶に容易に取付けられるハンドルに関するものである。
【背景技術】
【０００２】  ある月齢になると乳児は、自分で哺乳瓶を持ちミルクを飲もうとする。
しかし、一般的な哺乳瓶にハンドルは無く、乳児の手では保持しにくい。
その為に新たに市販されているハンドル付の物を購入する事となり不要な哺乳瓶が増え無駄が生じた。
【考案の開示】
【考案が解決しようとする課題】
【０００３】今まで使用してきた一般的な哺乳瓶には乳児が持つ事ができるハンドルが無い点である。
【考案が解決するための手段】
【０００４】本考案は、一般的な哺乳瓶に容易に取付け取外しができるハンドルである事が最も主要な特徴とする。
【考案の効果】
【０００５】  本考案の哺乳瓶に簡易装着できるハンドルは、今まで使用してきた一般的な哺乳瓶に容易に装着ができる事で、手持ちの哺乳瓶を継続して使用でき経済的負担も軽減できる。哺乳瓶にハンドルを装着する事で乳児の手に直接、熱や冷感が伝わる事を防ぎ安全である。
【考案を実施するための最良の形態】
【０００６】  一般的な哺乳瓶に被せられる様に、伸縮する素材にプラスチックのハンドルをつける。
【実施例１】
【０００７】図１は、本考案の１実施例の正面図であり、１は伸縮する素材で、円筒状になっている。例えればリストバンドのような伸縮できる構造である。２は、乳児が持つ事ができるハンドル部分である。
【図面の簡単な説明】
【０００８】
【図１】簡易装着できるハンドルの正面図である。
【図２】簡易装着できるハンドルと哺乳瓶を装着している正面図である。
【符号の説明】
【０００９】１    簡易装着できるハンドル本体。
２    ハンドル部分。
３    一般的な哺乳瓶。
【図１】
0003103107.tif 000003
【図２】
0003103107.tif 000004
【手続補正書】
【提出日】平成15年12月22日(2003.12.22)
【手続補正１】
【補正対象書類名】実用新案登録請求の範囲
【補正対象項目名】全文
【補正方法】変更
【補正の内容】
【実用新案登録請求の範囲】
【請求項１】
円筒状の伸縮性の素材のものに、ハンドルを取付ける事で、従来の一般的な哺乳瓶が、容易にハンドル付の哺乳瓶へと応用ができ、乳児が自ら哺乳瓶を保持することを可能とした簡易着脱式のハンドル。
【手続補正書】
【提出日】平成16年3月6日(2004.3.6)
【手続補正１】
【補正対象書類名】実用新案登録請求の範囲
【補正対象項目名】全文
【補正方法】変更
【補正の内容】
【実用新案登録請求の範囲】
【請求項１】
伸縮性の素材からなる円筒状の哺乳瓶保持部材と、前記哺乳瓶保持部材に取付けられたハンドルとを備えたことを特徴とする簡易着脱式ハンドル。
(57)【要約】【課題】パソコンを使用する場合、常時視点を画面に置いたまま、手の触覚のみにより、キーを打ち継けることが理想であるが、余程の熟練に達しなければ無理である。はじめは定めた位地に手を置いていても、しばらく打つとズレが生じるし、又端のキーを打つため手を移動した後も手元の修復が必要となり、視点をキーボード上に移さなければならない爲に操作に遅れが生じる。これを解消するために、小突起付きのパソコンを提供する。【解決手段】本考案はパソコンの使用時に、手元のズレを防止し、又端のキーを打つた後に手元を修復するのに、視覚によらずに触覚を利用することにより、迅速、容易、にしようとするものである。両手掌の親指基部の肉厚部が接するキーボードスペース上６に小突起を設けることにより、手が正しい位地にあるときは常に小突起が手掌の同じ点に接することになり、しばらく打つと触覚でこの点を記憶する。この記憶により、手元のズレが生ぜず、又手を移動した後も画面から視点を移動することなく、触覚により速やかに手を正しい位地に復することが出来る。【選択図】図１
0003103105.tif 000002
【実用新案登録請求の範囲】
【請求項１】
ノート型パーソナルコンピューター「以後、パソコン、と呼称」に小突起を付けることにより、手元ズレを防止し、また手元の修正を容易にした突起付パソコン。
【考案の詳細な説明】
【考案の詳細な説明】
【技術分野】
【０００１】本考案は、パソコン使用時に、手元のズレを防止し、又手元の修復を迅速容易にするために、視覚によらず触覚を利用したもの。
手掌の位地を視覚によらず、触覚により常に確認出来る爲に手のズレが生ぜず、又手を移動した後に元に復するにも視点を画面から移動せずに、触覚ににより手元の修復が出来る爲に、操作が迅速、容易になる。
【背景技術】
【０００２】従来は手元のズレを防止し、又手元を修正するための突起のついたパソコンはなかつた。
【考案が解決しようとする課題】
【０００３】パソコンの使用時、視点は、前面の画面２にあり、両手はキーボード上の、通常多用するキーが打ち易い位地３に置いている。「この位地を以後、定位地、と呼称する」。しかし、しばらく打つと手はズレてくる。このズレを修正するとき、及び端のキーを打つた後に手を定位置に復する時は、視点を一旦画面からキーボード上４に移さなければならず、操作が遅れるという難点があつた。
本発案は、この課題を解消するためになされたものである。
【課題を解決するための手段】
【０００４】「定位地」に両手を置くと、両手掌の手首に近い部分はキーボードスペース部分５に接着する。そこで両手掌の親指基部の肉厚部が接するキーボード上６に小突起７を設けると、「定位地」に手が置かれる時は、常に手掌の同じポイントに突起が当たることになる。このポイントを手掌の触覚で記憶することにより、手元がズレず、又手を移動させた後に視覚によらず触覚により「定位地」に手を復することが出来る。
【考案を実施するための最良の形態】
【０００５】以下本考案の実施の形態について説明する。
（イ）小突起は、大きさは２ｍｍ−１ｃｍとし、高さは５ｍｍ−７ｍｍとする。
（ロ）小突起の型は、丸、星、円錐、菱、四角等、特に定めない。
（ハ）小突起は、ボード上に金属製を溶接、又はゴム、合成樹脂、プラスチック、製のものを穴を穿ち差し込む等により取り付ける。
（ニ）小突起は、手掌の親指の基部が接する点６の２箇所に設置する。
【考案の効果】
【０００６】手掌の位地を視覚によらず、触覚により常に確認出来る爲に手のズレ生ぜず、又手を移動した後に元に復するにも視点を画面から移動せずに手元の修復が出来る爲に、操作が迅速、容易になる。
【図面の簡単な説明】
【図１】  本考案の使用状態を示す正面図である。
【図２】  本考案の使用状態を示す断面図である。
【符号の説明】
１  パソコン本体
２  画面
３  定位置
４  キーボード
５  キーボードスペース
６  小突起の取り付け場所
７  小突起
【図１】
0003103105.tif 000003
【図２】
0003103105.tif 000004
【手続補正書】
【提出日】平成15年12月29日(2003.12.29)
【手続補正１】
【補正対象書類名】実用新案登録請求の範囲
【補正対象項目名】全文
【補正方法】変更
【補正の内容】
【実用新案登録請求の範囲】
【請求項１】
ノート型パーソナルコンピューターの使用時、両手掌の親指基部の肉厚部が接するキーボードスペース上６の部分に小突起を取り付けることにより、手元のズレを防止し、また手元の修正を容易にしようとするもの。
【手続補正書】
【提出日】平成16年3月9日(2004.3.9)
【手続補正１】
【補正対象書類名】実用新案登録請求の範囲
【補正対象項目名】全文
【補正方法】変更
【補正の内容】
【実用新案登録請求の範囲】
【請求項１】
使用時に両手掌の親指基部の肉厚部が接するキーボードスペース上６の部分に小突起を取り付けたノート型パーソナルコンピーューター。
(57)【要約】【目的】この考案は、車椅子に乗った要介護者が他人の手を借りず、必要に応じ自力で起立や着座を行うことが出来る方式であり要介護者の生活範囲を広くすることが出来る介護用具である【構成】車椅子本体に▲６▼回転軸を中心に弧を画いて傾斜する▲３▼台座を設け▲７▼の上下用駆動装置を▲１▼ハンドル又は、▲２▼ペタルで操作することにより▲３▼台座が傾斜する。【選択図】図１
0003103101.tif 000002
【実用新案登録請求の範囲】
【請求項１】
車椅子の台座部分がハンドル又はペタル等の操作で前方へ送り出すと共に台座面が傾斜曲線をえがき乍ら上下し、その台座に座っている要介護者の起立や着座を補助する事が出来るようにした、起立補助機能付車椅子
【考案の詳細な説明】
【考案の詳細な説明】
【介護活動上の利用分野】
脚力の弱った要介護者が自力で車椅子から起立着座が出来る
【従来の車椅子】
台座部分が固定されており要介護者が自力で立ち上る事が出来ず立ち上りの都度介助者（ヘルパー）に重い負担がかかっている。
【考案が解決しようとする課題点とその方法】
本案の車椅子は台座が前送りを行いつつ上昇する人間本来の立ち上り動作曲線に添った動きをするように考案されているため要介護者の起立、着座がスムーズに行うことが出来る図によって説明すれば
▲１▼のハンドル又は▲２▼のペタルの操作により▲３▼の台座部分が▲７▼の駆動装置の上昇により▲６▼の回転ポイントを軸とし▲４▼▲５▼矢印のごとく前送りされつつ傾斜曲線を画き上下する、このことにより▲３▼の台座に座っている要介護者の起立や着座を補助することが出来る。
【考案の効果】
イ．要介護者は他人の手を借りず必要に応じ自分の意志で行動出来る範囲を広げることが出来る。
ロ  人間工学に則した立ち上り曲線をえがくため、スムーズな動作が出来る
ハ  台座の角度調節により、自分に合った脚力回復訓練が出来る
【図面の簡単な説明】
【図１】本考案の側面図
【図２】本考案の正面図
【符号の説明】
▲１▼ハンドル  ▲２▼ペタル  ▲３▼台座  ▲６▼回転軸  ▲７▼駆動部
【図１】
0003103101.tif 000003
【図２】
0003103101.tif 000004
(57)【要約】【課題】  タクシーの後部ドアに、運転手が斜め後方を向いた状態で、乗降客の後方サイドの視界が確認できるミラーを提供する。【解決手段】  タクシーの後部ドアに、運転手が斜め後方を向いた状態で、乗降客の後方サイドの視界が確認できるミラーを製作し取り付ける。ミラーには雨天時に水滴が付きにくくするためのカバーを付け、かつ視界確保のため曲面をもたせ広角にする。【実用新案登録請求の範囲】
【請求項１】
自動車（タクシー）の後部座席のドアに取り付ける後方サイド確認用ミラー。
【考案の詳細な説明】
【技術分野】
【０００１】  この考案は、タクシーの後部ドアにミラーを取り付けることにより、ドアの開閉による事故防止に関するものである。
【背景技術】
【０００２】  従来ミラーは、運転手が前方を見たまま後方、側方、前下部の状況を確認するための器具であった。
【考案の開示】
【考案が解決しようとする課題】
【０００３】  これはつぎのような問題点があった。
タクシーの場合、従来のフェンダーミラー、ドアミラーでは、斜め後方の乗降客の方を見たままでは、ドアの開閉に際し後方サイドの安全確認ができなかった。
本考案は、乗降の際のドアの開閉による、特に後方サイドより急接近する二輪車との事故を防止するためになされたものである。
【課題を解決するための手段】
【０００４】  タクシーの後部ドアに、運転手が斜め後方を向いた状態で、乗降客の後方サイドの視界が確認できるミラーを製作し取り付ける。
【考案の効果】
【０００５】  ドアの開閉に際し、乗客の方を向いたまま側方・後方サイドの安全を確認することができる。
【考案を実施するための形態】
【０００６】  以下、本考案の実施例について説明する。
（イ）  後部ドアミラーは、窓枠に取り付けるタイプ（１）と、窓枠がない車両のドアに取り付けるタイプ（２）の２タイプを作る。
（ロ）  ミラーには曲面をつけ広角ミラーとして視界を確保し、フェンダーミラー、ドアミラーの視界の妨げにならない大きさ、形状にする。。
（ハ）  雨天時の視界確保のため、水滴が付きにくいようミラーにカバーを付ける。
（ニ）  必要な後方視界を確保するため、ミラーは角度が調整できるようにする。
【図面の簡単な説明】
【０００７】
【図１】  本考案の斜視図、上面図である。
【図２】  本考案の取付図である。
【符号の説明】
【０００８】  １  後部ドアー  ２  ミラーカバー  ３  ミラー  ４  窓枠
【図１】
0003103109.tif 000002
【図２】
0003103109.tif 000003
【手続補正書】
【提出日】平成16年3月8日(2004.3.8)
【手続補正１】
【補正対象書類名】実用新案登録請求の範囲
【補正対象項目名】全文
【補正方法】変更
【補正の内容】
【実用新案登録請求の範囲】
【請求項１】
後方サイド確認用ミラーを後席自動ドアに取り付けたタクシー。
(57)【要約】      （修正有）【課題】風雨に対して耐久性のある防風灯を提供する。【解決手段】防風灯１０は、基部分１２と、基部分の上側に位置し、内部に蝋燭が配置される本体部分１４と、本体部分の上側に位置する頂部分１６とを備え、本体部分に、開閉可能な扉部２０と通気穴が設けられている。防風灯１０の各部分は、石材で形成される。本考案の防風灯では、蝋燭が風雨に直接曝されることがないので、蝋燭の炎が容易に消えてしまうことがない。【選択図】図１
0003103113.tif 000002
【実用新案登録請求の範囲】
【請求項１】
墓前に配置される防風灯であって、
基部分と、前記基部分の上側に位置し、内部に蝋燭が配置される本体部分と、前記本体部分の上側に位置する頂部分とを備え、前記本体部分に、開閉可能な扉部と通気穴が設けられていることを特徴とする防風灯。
【考案の詳細な説明】
【技術分野】
【０００１】
本考案は、墓前に配置され、内部で蝋燭が灯される防風灯に関する。
【背景技術】
【０００２】
従来、墓前で蝋燭を灯す際、ステンレス製の受皿に蝋燭を立て、炎を灯すのが一般的であった。
【考案の開示】
【考案が解決しようとする課題】
【０００３】
しかしながら、上述のステンレス製の受皿では、蝋燭が風雨に直接曝されるため、蝋燭の炎が容易に消えてしまうという課題があった。また、ステンレス製の受皿では、見栄えが良くないという不都合もあった。
【０００４】
したがって、本考案は、風雨に対して耐久性のある防風灯を提供することを目的としている。
【課題を解決するための手段】
【０００５】
本願請求項１に記載の防風灯は、基部分と、前記基部分の上側に位置し、内部に蝋燭が配置される本体部分と、前記本体部分の上側に位置する頂部分とを備え、前記本体部分に、開閉可能な扉部と通気穴が設けられていることを特徴とするものである。
【考案の効果】
【０００６】
本考案の防風灯１０によれば、蝋燭が風雨に直接曝されることがないので、蝋燭の炎が容易に消えてしまうことがない。また、本考案の防風灯１０には通気穴１８ａが設けられており、防風灯１０内部の二酸化炭素が排気されるので、蝋燭の燃焼に支障を来すおそれがない。さらに、ステンレス製の受皿と比較して、見栄えが良くなった。
【考案を実施するための最良の形態】
【０００７】
次に添付図面を参照して、本考案の好ましい実施の形態に係る防風灯について詳細に説明する。図１は、本考案の好ましい実施の形態に係る防風灯を示した斜視図である。図１において全体として参照符号１０で示される本考案の好ましい実施の形態に係る防風灯は、基部分１２と、基部分１２の上側に位置する本体部分１４と、本体部分１４の上側に位置する頂部分１６とに大別される。
【０００８】
基部分１２は、本体部分１４及び頂部分１６を支持する台座となる。基部分１２は、安定性を増すため、少なくとも本体部分１４の径よりも大きな径を有するように形作られている。基部分１２は通常、石材で形成されている。
【０００９】
本体部分１４は、円筒形の前方半部を切除した半円筒形の後壁部１８と、後壁部１８の一方の縁部に回転可能に取り付けられた扉部２０とを有している。扉部２０は、弧状の形状を有しており、下部に蝋燭立て（図示せず）を置くための底壁２０ａが設けられている。また、扉部２０には、蝋燭の炎が外部から見え且つ装飾にもなるように、格子２０ａが設けられている。なお、扉部２０は、石材で形成されている。
【００１０】
本体部分１４の後壁部１８の上部には、通気穴１８ａが設けられている。通気穴１８ａは、本体部分１４の内部で蝋燭の炎を灯したときに発生する二酸化炭素を本体部分１４の外部に逃がすのに役立つ。後壁部１８は、石材で形成されている。
【００１１】
頂部分１６は、中央が尖った笠状に形作られている。頂部分１６は、本体部分１４の内部に風雨が吹き込むのを防止するとともに、装飾の役目も果たす。
【００１２】
図３は、扉部２０を開閉可能に取り付けるための治具２４ａ、２４ｂを示した図である。すなわち、治具２４ａを基部分１２及び頂部分１６にそれぞれ取り付け、扉部２０の対応する個所に治具２４ｂを取り付け、治具２４ｂを治具２４ａに嵌め込むことにより、扉部２０が開閉可能に取り付けられる。なお、開閉可能に取り付けるための治具は、図示したものに限定されることはなく、任意の公知の機構を用いてもよい。
【００１３】
図４は、防風灯１０が墓前に配置されている状態を示した図である。防風灯１０は通常、墓石の前の左右に対をなして配置される。そして、使用に際して、扉部２０を開放して、内部に蝋燭立てに立てられている蝋燭に炎を灯した後、扉部２０を閉鎖する。
【００１４】
本考案は、以上の考案の実施の形態に限定されることなく、実用新案登録請求の範囲に記載された考案の範囲内で、種々の変更が可能であり、それらも本考案の範囲内に包含されるものであることはいうまでもない。
【００１５】
例えば、防風灯１０の各部の形状（即ち、基部分１２、本体部分１４、及び頂部分１６の形状）は、図示したものに限定されない。
【図面の簡単な説明】
【００１６】
【図１】本考案の好ましい実施の形態に係る防風灯の斜視図である。
【図２】図１の防風灯の扉部を開けた状態を示した斜視図である。
【図３】扉部を開閉可能に取り付けるための治具を示した図である。
【図４】図１の防風灯が墓前に配置されている状態を示した斜視図である。
【符号の説明】
【００１７】
１０  防風灯
１２  基部分
１４  本体部分
１６  頂部分
１８  後壁部
２０  扉部
２２  通気穴
【図１】
0003103113.tif 000003
【図２】
0003103113.tif 000004
【図３】
0003103113.tif 000005
【図４】
0003103113.tif 000006
(57)【要約】【課題】  本考察は段差解消板本体に高さ調節が  現場で簡単に出来るようにしたものである。【解決手段】  本考察は段差解消板本体１に穴２を開け、段差解消板１の厚みの中にナット３を埋めこんで、高さ調節ネジ４をナット３の中に入れ穴２よりネジまわしで高さ調節ネジ４を廻して  段差解消板本体１の高さを段差の高さに合わせて解決したものである。【選択図】  図１
0003103111.tif 000002
【実用新案登録請求の範囲】
【請求項１】
段差解消板本体に  ナットを埋め込み、ネジで高さ調節が自在に出来るようにする高さ調節付き段差解消板
【考案の詳細な説明】
【技術分野】
【０００１】  本考案は。、ネジとナットと上部に穴を設けた段差解消板に関するものである。
【背景技術】
【０００２】  室内、室外等のいろいろな状況の段差に対応できない。
【考察の開示】
【考察が解決しようとする課題】
【０００３】  段差のある所で簡単に  段差をなくす事が、従来の段差解消板では  出来なかったので、その欠点を  解決しようとするものである。
【課題を解決するための手段】
【０００４】  本考察は、段差解消板本体に  ナットとネジをとりつけて、段差解消板に穴を開け  段差の高さに段差解消板の高さを変えようとする。
【考察の効果】
【０００５】  上述の様に  本考察の高さネジ調節付き段差解消板は、高さの違う段差のある所で、高さを簡単に合わせることが出来るようにしたものである。
【考察を実施するための最良の形態】
【０００６】  段差解消板本体の厚みの中にナットを埋め込み、そのナットに高さ調節ネジを取り付けて、段差解消板上部穴よりネジまわしで  段差調節ネジをまわして段差の高さに  段差解消板の高さを合わせる。
【実施例】
【０００７】  以下、添付図面に従って一実施例を説明する。１は段差解消板、２は穴  ３はナット  ４は高さ調節ネジ  １の段差解消板を敷居など段差のあるところに合わせ  ２の穴より  ネジまわしで４の高さ調節ネジを廻して高さを合わせる。
【図面の簡単な説明】
【０００８】
【図１】  本考察の段差解消板の斜視図である。
【符号の説明】
１  段差解消板
２  穴
３  ナット
４  高さ調節ネジ
【図１】
0003103111.tif 000003
【手続補正書】
【提出日】平成16年3月2日(2004.3.2)
【手続補正１】
【補正対象書類名】実用新案登録請求の範囲
【補正対象項目名】全文
【補正方法】変更
【補正の内容】
【実用新案登録請求の範囲】
【請求項１】
段差解消板本体に穴を開け、段差解消板本体の厚みの中に  ナットを埋め込み  そのナットに高さ調節ネジを取り付け  段差解消板本体の上部の穴よりネジを廻して  高さを調節する段差解消板
(57)【要約】【課題】この考案は、虫かごに給水器付プランターを合体させた昆虫飼育かごに関するものである。【解決手段】プランター部（２）の底部に赤玉土（５）を給排水口（３）の上まで入れ、その上に培養土（４）を入れ、食草を植える。給排水口（３）から給水すると、水が毛細管現象により赤玉土（５）を経由し培養土（４）に達し、食草に給水が可能になる。プランターの側面に設けた給排水口（３）により、プランター内の水位の過度な上昇がなく、培養士（４）の過湿を抑える。プランター部（２）の上に虫かご部（１）を固定し、昆虫を入れ飼育する。【選択図】図２
0003103116.tif 000002
【実用新案登録請求の範囲】
【請求項１】
虫かご部と給排水口付きプランター部を合体させた昆虫飼育かご。
【考案の詳細な説明】
【考案の詳細な説明】
【技術分野】
【０００１】  この考案は、給排水口付きプランターを合体させた昆虫飼育かごに関するものである。
【背景技術】
【０００２】  従来、一つの容器の中に食草（昆虫が食べる草）などと昆虫を入れる虫かごはあったが、食草の栽培管理が困難であった。
【考案が解決しようとする課題】
【０００３】  本案は、その欠点を除いて、食草の栽培と昆虫の飼育管理を容易にし、より自然に近い環境で昆虫の飼育が出来る昆虫飼育かごを開発しようとするものである。
【課題を解決するための手段】
【０００４】    いまその解決手段を図面に追いながら説明すれば、
（イ）プランター部（２）の側面に給排水口（３）を設け、培養土への持続的給水を可能にし、同時にプランター内部の水位を一定以下に保つ。
（ロ）プランター部（２）に虫かご部（１）を載せ固定する。
【考案を実施するための最良の形態】
【０００５】  本考案は、以上のような構造であるから、これを使用するときは、プランター部（２）に水を入れ、さらに赤玉土（５）を給排水口（３）の上まで入れ、その上に培養土（４）を入れ、食草を植え込み、虫かご部（１）を載せ、虫を入れる。
【考案の効果】
【０００６】  このため、プランター底部の水が毛細管現象により赤玉土（５）を経由して培養土（４）に至り、持続的給水が可能になる。また、給排水口（３）によりプランター内の水位の上昇を抑え、培養土（４）の過湿を回避し、食草の持続的育成が可能になる。食草の持続的生育および培養土（４）の適度な湿りにより、虫かご内部を虫の生息に良好な環境に維持することが可能になる。
【図面の簡単な説明】
【図１】  本考案の斜視図
【図２】  本考案の実施断面図
【符号の説明】
１は虫カゴ部
２はプランター部
３は給排水口
４は培養土
５は赤玉土
６は水
【図１】
0003103116.tif 000003
【図２】
0003103116.tif 000004
(57)【要約】【課題】  鏡の面を利用し、鏡面全体がヒーターとなるようにした。【解決手段】  鏡の裏側に電気やオイルヒーターなどの熱媒体を取り付け、鏡面全体がヒーターとなるようにしたものである。【選択図】  図１
0003103120.tif 000002
【実用新案登録請求の範囲】
【請求項１】
鏡の裏側に、電気やオイルヒーターなどの熱媒体となる物を取り付け鏡面全体がヒーターとなる鏡。
【考案の詳細な説明】
【考案の詳細な説明】
【考案が解決しようとする課題】
【０００１】  従来、鏡面の裏側の一部に電気の熱線等を利用し鏡面を暖め曇り止めとして使用できる鏡は存在していた。この種のものはその目的が鏡面の曇り止めであるため温度は低く、ヒーターとしての役割は担っていない。
【問題を解決する為の手段】
【０００２】  本考案は、鏡の裏側に電気やオイルヒーターなどの熱媒体を取り付け、鏡面全体がヒーターとなるようにしたものである。
【考案の効果】
【０００３】  本考案は、電気やオイルヒーターなどによる熱媒体を鏡の裏面に設置することにより鏡面全体という大きな面積をヒーターとして利用する事が出来るので熱効率はよいという利点がある。また、通常、鏡は体が触れない位置にあるので、鏡ヒートストーブ使用時も火傷を負うリスクもなく、暖房設備が必要なときでも、不必要なときでもスペースを確保する必要がない。
【図面の簡単な説明】
【図１】  鏡の裏面に電気やオイルヒーターなどによる熱媒体を設置した鏡を正面から見たものである。
【図２】  鏡の裏面に電気やオイルヒーターなどによる熱媒体を設置した鏡を裏から見たものである。
【図３】  鏡の裏面に電気やオイルヒーターなどによる熱媒体を設置した鏡を横から見たものである。
【符号の説明】
１  電気やオイルヒーターなどによる熱媒体
２  鏡面
【図１】
0003103120.tif 000003
【図２】
0003103120.tif 000004
【図３】
0003103120.tif 000005
(57)【要約】［課題］この考案は、線香に着火薬を付けることにより、屋外の風、雨等、悪天候の時でも、容易、かつ着実に線香に着火出来るようにしたものである。［解決手段］線香の一端に摩擦等により簡単に発火する薬品を塗布、又は浸透、あるいは練りこめる等の方法により、発火部分と線香を一体化させ、その発火部分を発火させることにより、自然と線香に着火するようにしたものである。（要はマッチと線香を合体したものである）【実用新案登録請求の範囲】
線香の一端に簡単に発火する薬品を付けた着火薬付線香
【考案の詳細な説明】
【考案の詳細な説明】
［考案の属する技術分野］
この考案は線香に簡単、着実に着火するための工夫で、仏前用にかかわらず蚊取り線香等にも応用出来るものである。
［従来の技術］
（１）線香に着火するには従来、マッチ、ライター等、別の発火物を用いて着火する必要のある上
（２）着火に時間がかかるため、マッチを何本も消費するとか、ライターが過熱する等の不便があり
（３）特に墓参り等、屋外で着火するには、風、雨、等の影響で極めて困難を強いられる場合がある。
この不便を改善するために考案されたもので、次の利点がある。
［考案が解決する課題］
（１）マッチ、ライター等、別の着火物を準備する必要がない。
（２）屋外等でも、瞬時、着実に着火出来る。
［課題を解決するための手段］
線香の一端に摩擦等により簡単に発火する薬品を塗布、又は浸透、あるいは練り込める。
【図面の簡単な説明】  本考案の中央を切断した側面図である。
0003103114.tif 000002
(57)【要約】【課題】  男性が便座の上に腰掛けた状態で小便をするときにおいて、前方に射出される尿が便器上端を乗り越えて便器外部へ放出されたり、便器上部にかかって便器を汚したりすることである。【解決手段】  本考案の洋式便器は便器の前部上面が上方へ隆起した形状を持つことにより、男性が便座の上に腰掛けた状態で小便をするときにおいて、前方に射出される尿が便器上端を乗り越えて便器外部へ放出されたり、便器上部にかかって便器を汚したりすることなく、隆起部の内部に尿が収まる。【選択図】  図２
0003103187.tif 000002
【実用新案登録請求の範囲】
【請求項１】
便器の前部上面が上方へ隆起した形状を特徴とする洋式便器。
【考案の詳細な説明】
【技術分野】
【０００１】  本考案は、便器の前部上面が上方へ隆起した形状を特徴とする洋式便器に関する。
【背景技術】
【０００２】  従来は男性が洋式便器を用いて小便をするときは、便座を上方に持ち上げた状態にし、男性は身体を起立させた状態で便器と相対し、排尿を行っていた。しかしながら、昨今では男性が小便をするときにおいても、女性の大小便、および男性の大便の場合と同様に、便座を下方に倒して便器本体の上に載せ、便座の上に腰掛けた状態で用を足す排尿法が多く採用されるようになってきた。【０００３】  しかしながら、従来の洋式便器本体上面は前方から後方へかけてほぼ水平にフラットな形状であるために、男性が便座の上に腰掛けて小便をする場合には、尿が前方に射出されるために尿が便器上端を乗り越えて便器外部へ放出されたり、便器上部にかかって便器を汚したりすることが多かった。
【考案の開示】
【考案が解決しようとする課題】
【０００４】  解決しようとする問題点は、男性が便座の上に腰掛けた状態で小便をするときにおいて、前方に射出される尿が便器上端を乗り越えて便器外部へ放出されたり、便器上部にかかって便器を汚したりすることである。
【課題を解決するための手段】
【０００５】  男性が便座の上に腰掛けた状態で小便をするときにおいて、前方に射出される尿が便器上端を乗り越えて便器外部へ放出されたり、便器上部にかかって便器を汚したりすることなく、隆起部の内部に尿が収まるように、本考案の洋式便器は便器の前部上面が上方へ隆起した形状を持つことを特徴とする。
【考案の効果】
【０００６】  男性が便座の上に腰掛けた状態で小便をするときに、本考案の洋式便器においては便器の前部上面が上方へ隆起した形状を持つことによって、前方に射出される尿が便器上端を乗り越えて便器外部へ放出されたり、便器上部にかかって便器を汚したりすることがないという利点がある。
【考案を実施するための最良の形態】
【０００７】  本考案装置は、従来の洋式便器の前部上面を上方へ隆起させた形状に変更するだけで、尿が便器外へ放出される危険性を解消することを実現した。
【実施例】
【０００８】  本考案の洋式便器は、便器の前部上面が上方へ隆起した形状を持つ。便座の形状は現在、Ｏ型とＵ型の２種類が存在するが、本考案の洋式便器と共に用いる便座はＯ型ではなくＵ型を用いる。【０００９】  男性が便座の上に腰掛けた状態で小便をするときに、本考案の洋式便器においては便器の前部上面が上方へ隆起した形状を持つことによって、前方に射出される尿が便器上端を乗り越えて便器外部へ放出されたり、便器上部にかかったりすることなく、隆起部の内部に尿は収まる。
【産業上の利用可能性】
【００１０】  本考案装置は、従来の洋式便器の前部上面を上方へ隆起させた形状に変更するだけで、尿が便器外へ放出される危険性を解消できるので、従来の生産コストと大差なく、しかも設置の手間も従来と全く同様であり、使用に際しても従来の洋式便器と比較してデメリットはないため、国内外を問わず、あらゆる便所に適用できる。
【図面の簡単な説明】
【００１１】
【図１】本考案の洋式便器の正面図である。
【図２】本考案の洋式便器の平面図である。
【図３】本考案の洋式便器のＡ−Ａ断面図である。
【符号の説明】
【００１２】  １  洋式便器本体
２  隆起部
【図１】
0003103187.tif 000003
【図２】
0003103187.tif 000004
【図３】
0003103187.tif 000005
(57)【要約】【課題】  介護老人等の被介護者の食事において、口腔から流下した汁等の液体がエプロンの隙間を通って体内に流下することを完全に防ぐための中エプロンを提供すること。【解決手段】  吸水性のよいタオル地等の中エプロン本体（２）を二重にして、その間に防水性のある軟質プラスチックフィルム等の防水性フィルム（３）を入れて縫い合せ、中エプロン本体（２）の上部を延伸して首部（２ａ）を設け、該首部（２ａ）をギャザー寄せして、ひも（４）を取り付ける。【選択図】  図１
0003103173.tif 000002
【実用新案登録請求の範囲】
【請求項１】
吸水性のよいタオル地等の布地を二重にして、その間に防水性のある軟質プラスチックフィルムを入れて縫い合せ、顎から首部に当るところを延伸した布地をギャザー寄せして、顎から首部に該布地がぴったり当る構造とし、首部にひもを取り付けた、食事用中エプロン。
【考案の詳細な説明】
【技術分野】
【０００１】  本考案は、介護老人等の被介護者が食事のときに使用する、被介護者用の食事用中エプロンに関するものである。
【背景技術】
【０００２】  従来、被介護者用の食事用エプロンについてはいろいろのものが提案されている。
これを大別すると、口腔から流下した飲物等の液体や食物の流体を吸水性のある布等で吸収するタイプと、防水性のあるプラスチックフィルム等で受けて中に浸透しないようにしたタイプとがある。
吸水性タイプのエプロンは、下の衣服を汚す恐れがあるので、頻繁に交換する必要がある。防水性タイプのエプロンは、下の衣服を汚す恐れはないが、流下した液体を受けるためのポケット部を設けるかあるいは流下する途中で拭き取るかする必要があるが、衣服を汚さない点では優れているといえる。
しかし、どちらのタイプのエプロンも首に掛ける構造としただけでは口腔から流下した液体を完全には受け止めることがてきず、エプロンの隙間から首部を伝わって身体部に流下してしまう場合が多々ある。【０００３】  介護用エプロンとして提案されたものとしては、例えば下記の文献がある。
【特許文献１】  特開２０００−１３６４０８
【考案の開示】
【考案が解決しようとする課題】
【０００４】  特開２０００−１３６４０８においては、表面を防水性樹脂層とし、下端部を折り曲げることによってポケット部を形成可能としている。
表面を防水性とすることにより、口腔より流下した液体が中に染み込まず、ポケット部により流下した液体あるいは落下した固形物を受け止めるという構造においては優れているといえる。
しかし、該文献においてはエプロンを首周り部で止めるようにしただけのものである。
被介護者が食事をするときは、顔を少し仰向け気味の半座臥の姿勢で食事をすることが多いため、口腔からこぼれて顎に流下した液体は、エプロンの隙間から首部を伝わって体内に流下してしまうことが多々あり、そのため下着を着替えしなければならなくなったりする。
本考案は、このような問題を解決するためになされたものである。
【課題を解決するための手段】
【０００５】  吸水性のよいタオル地等の布地を二重にして、その間に防水性のある軟質プラスチックフィルムを入れて縫い合せ、上部を顎に当るように延伸してギャザー寄せし、顎から首部に布地がぴったり当るようにする。
首部にひもを取り付け、後ろで結べるようにした、食事用中エプロンである。
【考案の効果】
【０００６】  本考案は中エプロンなので、防水性のあるエプロンと併用することが望ましい。
まず、被介護者に本考案の中エプロンのひも部を首にかけて、後ろでひもを苦しくない程度にしっかりと結ぶ。その上から防水性のある、ポケット部付等のエプロンをかけて食事をさせる。
こうすることにより、口腔から流下した汁等の液体や流体が中エプロンに吸収されて、首部から体内に流入するのを完全に防ぐことができる。
本考案は二重になっているので、片面が汚れた場合は裏返して使用することができる。
【考案を実施するための最良の形態】
【０００７】  吸水性のよいタオル地等の中エプロン本体（２）を二重にして、その間に防水性のある軟質プラスチックフィルム等の防水性フィルム（３）を入れて縫い合せ、中エプロン本体（２）の上部を延伸して首部（２ａ）を設け、該首部（２ａ）をギャザー寄せして、ひも（４）を取り付ける。
首部（２ａ）は、その先端が顎の下部にまでかかる長さとする。これにより、口腔から顎に流下した汁等の液体を首部に達しないうちに吸収することができる。【０００８】  本考案は単独で使用してもよいが、防水性エプロン（５）を外側にかけて併用することにより、より一層良好な効果が得られる。
【図面の簡単な説明】
【０００９】
【図１】    本考案の正面図
【図２】    本考案のＡ−Ａ断面図
【図３】    本考案の使用例を示す参考図
【符号の説明】
【００１０】  １    本考案の食事用中エプロン
２    中エプロン本体
２ａ  首部
３    防水性フィルム
４    ひも
５    防水性エプロン
【図１】
0003103173.tif 000003
【図２】
0003103173.tif 000004
【図３】
0003103173.tif 000005
(57)【要約】【課題】  本考案は玉箱差し本体にＬＥＤランプ装置を配列して、その多彩な光で玉箱を装飾し、注目度を向上させパチンコ店を活性化する。【解決手段】  本考案は玉箱差し本体１に高輝度のＬＥＤランプ群２を配列し、本体内部に発光制御回路を実装しＬＥＤランプ群２の点滅の仕方を変化させ、印刷物設置面３に設置された印刷物を引き立たせ、玉箱を光と本体の美しさで装飾し注目度を向上させるものである。【選択図】図１
0003103171.tif 000002
【実用新案登録請求の範囲】
【請求項１】
パチンコの出玉を入れて置く玉箱を飾る玉箱差し本体にＬＥＤランプ群を配列し、本体内部にＬＥＤランプの点滅の仕方を変化させる発光制御回路を実装するとともに、本体裏面にバッテリーボックスを配置して電源供給を容易にしたＬＥＤランプ装置付玉箱差し。
【考案の詳細な説明】
【技術分野】
【０００１】  本考案は、パチンコの出玉を入れて置く玉箱に差す玉箱差しにＬＥＤランプ装置を設けた玉箱差しに関するものである。
【背景技術】
【０００２】  パチンコ店では高く積まれた玉箱を飾る玉箱差しは型や大きさも様々あり，材質は紙を加工して作った物等が多く利用されてきた。
【考案の開示】
【考案が解決しようとする課題】
【０００３】  パチンコ店が集客する為にはパチンコ台の出玉の量は最も重要な要素である。その出玉を目立たせる物として玉箱差しが使用されているが、現在使われている玉箱差しは印刷した紙にラミネート加工をした簡単な物が多く美しさや注目度に欠けていた。これを解決しようとするものである。
【課題を解決するための手段】
【０００４】  本考案は、玉箱差し本体を耐久性のあるプラスチック等の素材で一体成型して製作する。本体の表面に高輝度のＬＥＤランプ群を配列して発光、点滅をさせ、中央の凹んだ円形部に印刷物を設置し、光と本体の美しさで欠点を解決するものである。
【考案の効果】
【０００５】  上述の様に、本考案のＬＥＤランプ付玉箱差しは本体の美しさに加え、堅牢なＬＥＤランプ装置を設けているので玉箱を多彩な光で装飾し、その注目度の向上はパチンコ店を活性化させるものである。
【考案を実施するための最良の形態】
【０００６】  玉箱差し本体表面の円形部に準備された印刷物を設置する。本体裏面のバッテリーボックスに乾電池を装備して、スイッチを入れると電源が供給されてＬＥＤランプ群の点滅が開始する。この状態で積まれた玉箱に差して使用する。
【実施例】
【０００７】  以下、添付図面に従って一実施例を説明します。１は耐久性のプラスチック等素材で一体成型された玉箱差し本体、３は円形に凹んだ印刷物の設置面で任意にデザインした印刷物を設置する範囲を示すものである。５は電源の乾電池を装備可能にするバッテリーボックスでこれを開けて乾電池を装備して閉める。６は電源スイッチでこれを入れると２の高輝度のＬＥＤランプ群が発光し点滅を繰り返し始める。この状態で玉箱差し本体を玉箱に差して使用するものである。【０００８】  本考案の一実施例は上述の様な構成からなるものであるから、玉箱差しを使用終了後は６のスイッチを切にし消灯する。
【図面の簡単な説明】
【０００９】
【図１】本考案のＬＥＤランプ装置付玉箱差しの一実施例を示す正面図である。
【図２】本玉箱差しの一実施例を示す側面図である。
【図３】本玉箱差しの裏面の正面図である。
【符号の説明】
【００１０】    １  玉箱差し本体
２  ＬＥＤランプ
３  印刷物設置面
４  本体裏面
５  バッテリーボックス
６  電源スイッチ
【図１】
0003103171.tif 000003
【図２】
0003103171.tif 000004
【図３】
0003103171.tif 000005
(57)【要約】【課題】本考案は、自動車や機械、その他の展示品に使用する、プライスボードは大きさがいろいろあるが、簡単な金具を使って寸法に関係なく利用出来る事を提供する。【解決手段】Ａ半矩形軸（１）に、Ａスライド管（２）を左右に挿入して設け、Ｂ半矩形軸（３）にＣスライド管（４）を左右に挿入し、その後から同じくＢ半矩形軸（３）にＢスライド管（５）を左右に挿入して設ける、次にＡ半矩形軸（１）の左右端面を、左右のＢスライド管（５）の寸法に合わせて、これらを溶接固着する、またＢ半矩形軸（３）の左右端面を、左右のＡスライド管（２）の寸法に合わせて、これらを溶接固着する、さらに左右のＣスライド管（４）の適当なる位置に、ボード支持板（６）を合わせて、この両者を溶接固着し、さらにＢ半矩形軸（３）の適当なる箇所に、滑止パッキン（７）を装着して設ける。【選択図】      図  １【実用新案登録請求の範囲】
【請求項１】
Ａ半矩形軸（１）に、Ａスライド管（２）を左右に挿入して設け、Ｂ半矩形軸（３）にＣスライド管（４）を左右に挿入し、その後から同じくＢ半矩形軸（３）にＢスライド管（５）を左右に挿入して設ける、次にＡ半矩形軸（１）の左右端面を、左右のＢスライド管（５）の寸法に合わせて、これらを溶接固着する、またＢ半矩形軸（３）の左右端面を、左右のＡスライド管（２）の寸法に合わせて、これらを溶接固着する、さらに左右のＣスライド管（４）の適当なる位置に、ボード支持板（６）を合わせて、この両者を溶接固着し、さらにＢ半矩形軸（３）の適当なる箇所に、滑止パッキン（７）を装着して設けてなる、プライスボード用スライド金具。
【考案の詳細な説明】
【技術分野】
【０００１】  本考案は、自動車販売センター等の展示車に提示する、価格等の表示看板に関するものである。
【背景技術】
【０００２】  従来、このような展示品の価格表示方法は、紙等に書いてテープで貼付けたり、価格表ボードを置いたりしていた。
【考案の開示】
【考案が解決しようとする課題】
【０００３】  紙などに書いて、テープで貼るのは手間もかかるし、見た目にいいものでない。また最近では、ボードにして表示するものがあるが、ボードは表示するものにより、大きさがいろいろ変わるので、その設置箇所に苦慮している。
本考案は、このような問題を改善する為になされたものである。
【課題を解決するための手段】
【０００４】  まず鉄、ステンレス等の軸棒を矩形状に曲加工して、Ａ半矩形軸（１）およびＢ半矩形軸（３）にして用意する。また、前記半矩形軸の径に合わせた、肉厚のパイプを適当なる長さに切出して、Ａスライド管（２）、Ｂスライド管（５）、Ｃスライド管（４）を用意する。さらに、ベンダー加工でコの字状に曲げたボード支持板（６）を用意する。【０００５】  これらを、順次組みつけて設ける。まず、Ａ半矩形軸（１）の右側と左側に、Ａスライド管（２）を挿入して設ける。また、Ｂ半矩形軸（３）の右側と左側に、まず先に、Ｃスライド管（４）を挿入して設け、その後同じようにＢスライド管（５）を挿入して設ける。【０００６】  次にＡ半矩形軸（１）の左右端面を、Ｂ半矩形軸（３）の左右に挿入されている、Ｂスライド管（５）の寸法に合わせて、これらを溶接固着する。また、Ｂ半矩形軸（３）の左右端面を、Ａ半矩形軸（１）の左右に挿入されているＡスライド管（２）の寸法に合わせて、これらを溶接固着する。【０００７】  さらに、Ｂ半矩形軸（３）に挿入されている、左右のＣスライド管（４）の適当なる位置に、ボード支持板（６）を合わせて、この両者を溶接固着する。最後にＢ半矩形軸（３）の適当なる箇所に、展示品の傷防止用に、滑止パッキン（７）を装着する。
本考案は、以上のような構成よりなるプライスボード用スライド金具である。
【考案の効果】
【０００８】  本考案は、展示場等の商品販売に使用する価格表示の看板を、設置箇所の場所を選ぶ必要がなく、且つ価格表示看板の大きさがいろいろ変わっても、支持部分の金具がスライドするので、対応できて便利である。
【考案を実施するための最良の形態】
【０００９】  本考案は図１のごとく、Ａ半矩形軸（１）の右側と左側に、Ａスライド管（２）を挿入して設ける。また、Ｂ半矩形軸（３）の右側と左側に、まず先にＣスライド管（４）を挿入して設け、その後に同じようにＢスライド管（５）を挿入して設ける。【００１０】  次にＡ半矩形軸（１）の解放側の左右端面を、Ｂ半矩形軸（３）の左右に挿入されている、Ｂスライド管（５）の長手側寸法に合わせて、これらを溶接して固着させる。一方、Ｂ半矩形軸（３）の解放側の左右端面を、Ａ半矩形軸（１）の左右に挿入されている、Ａスライド管（２）の長手側寸法に合わせて、これらを溶接して固着させる。【００１１】  さらに、Ｂ半矩形軸（３）に挿入されている、左右のＣスライド管（４）の適当なる位置に、ボード支持板（６）を合わせて、この両者を溶接して固着させる。最後には、Ｂ半矩形軸（３）の適当なる箇所に、展示品「例えば自動車のボンネットに設置する等」の傷防止用に、滑止パッキン（７）を装着する。
本考案は、以上のような構成であり、これを使用せんとする時には、図２のごとく、プライスボード（８）をボード支持板（６）に乗せるだけで良い。この状態で展示品の上や手前に設置する。プライスボード（８）は大きさが、取り扱う商品により、いろいろ変わるので、その時はＡ半矩形軸（１）のハンドル部分（９）を引く力（ｆ１）により、延ばしたり、縮めたりして、前記ボードの大きさに対応出来る。また、ボード支持板（６）の高さ位置は、Ｃスライド管（４）をスライドさせる力（ｆ２）により、変えられるので、前記ボードの設置高さの調整ができるのである。さらに滑止パッキン（７）はウレタンゴム、軟質樹脂だから、本考案を自動車のボンネット等に置かれても、滑り落ちる事も、傷がつく事も皆無である。
【図面の簡単な説明】
【００１３】
【図１】    本考案の斜視図である。
【図２】    本考案の使用図である。
【符号の説明】
【００１４】      １  Ａ半矩形軸
２  Ａスライド管
３  Ｂ半矩形軸
４  Ｃスライド管
５  Ｂスライド管
６  ボード支持板
７  滑止パッキン
８  プライスボード
９  ハンドル部分
ｆ１  引く力
ｆ２  スライドさせる力
【図１】
0003103174.tif 000002
【図２】
0003103174.tif 000003
(57)【要約】【課題】仏壇の外扉そのものに着目し、好ましい外観を有する外扉を備えた仏壇を提供する。【解決手段】仏壇（１）の正面に露出する外扉（３）に組子（５）を嵌め込んだことを特徴とする仏壇。仏壇（１）の正面に露出する外扉（３）に組子（５）を嵌め込むと共に該組子（５）の背面側に板状体（１９）を配設したことを特徴とする仏壇。仏壇（１）の正面に露出する外扉（３）に透かし彫り（２１）を備えさせたことを特徴とする仏壇。【選択図】図１
0003103175.tif 000002
【実用新案登録請求の範囲】
【請求項１】
仏壇の正面に露出する外扉に組子を嵌め込んだことを特徴とする仏壇。
【請求項２】
仏壇の正面に露出する外扉に組子を嵌め込むと共に該組子の背面側に板状体を配設したことを特徴とする仏壇。
【請求項３】
仏壇の正面に露出する外扉に透かし彫りを備えさせたことを特徴とする仏壇。
【考案の詳細な説明】
【技術分野】
【０００１】
本考案は、仏壇に関するものであり、特に外扉、即ち正面扉、に組子ないし透かし彫りを施した仏壇に係るものである。
【０００２】
本考案による仏壇には、仏像、位牌等を安置して礼拝するための壇のみならず、犬、猫等のペット用の仏壇も含まれるものとする。
【背景技術】
【０００３】
内扉に組子を嵌め込んだ仏壇は、実用新案登録第３０６２９８８号公報に示すように、既に知られている。
【０００４】
因みに、組子は、細長い木製の板状部材に係止溝を備えさせ、該板状部材を該係止溝を介して相互に組み合わせてなるものである。
【特許文献１】実用新案登録第３０６２９８８号公報
【考案の開示】
【考案が解決しようとする課題】
【０００５】
しかるに、上記従来の仏壇の如く、仏壇の内扉に組子を嵌め込んでも、該組子は外扉を開かない限り看者には見えないものである。即ち、内扉に嵌め込まれた組子は、外扉を閉じた状態における仏壇の外観には全く影響を与えないものである。
【０００６】
このような状況に鑑み、本考案は、仏壇の外扉そのものに着目し、好ましい外観を有する外扉を備えた仏壇を提供しようとしてなされたものである。
【課題を解決するための手段】
【０００７】
上記課題を解決するために、本考案は下記の仏壇を提供する。
【０００８】
（１）仏壇の正面に露出する外扉に組子を嵌め込んだことを特徴とする仏壇（請求項１）。
【０００９】
（２）仏壇の正面に露出する外扉に組子を嵌め込むと共に該組子の背面側に板状体を配設したことを特徴とする仏壇（請求項２）。
【００１０】
（３）仏壇の正面に露出する外扉に透かし彫りを備えさせたことを特徴とする仏壇（請求項３）。
【００１１】
［考案の作用］
［請求項１の考案］
仏壇の正面に露出する外扉、即ち正面扉、に嵌め込まれた組子は、仏壇の外部に露出している。仏壇の外部から、組子の隙間を通して仏壇の内部が見える。
【００１２】
［請求項２の考案］
仏壇の外部に露出する組子の背面側に配設されている板状体は、仏壇の外部から該組子の隙間に見える。
【００１３】
［請求項３の考案］
仏壇の正面に露出する外扉に備えさせた透かし彫りは、仏壇の外部に露出している。仏壇の外部から、該透かし彫りの隙間を通して仏壇の内部が見える。
【考案の効果】
【００１４】
本考案によれば、仏壇の正面に露出する外扉に対し、（１）組子をはめ込み、（２）組子を嵌め込むと共に該組子の背面側に板状体を配設し、或いは（３）透かし彫りを備えさせたため、仏壇の外観はより美しいものとなり、より荘厳な雰囲気が醸し出される。
【考案を実施するための最良の形態】
【００１５】
図１〜図３に示す事例について説明する。
【００１６】
符号１に示すものは仏壇であり、符号３に示すものは仏壇１の正面に露出する外扉である。
【００１７】
仏壇１は、好ましくは、左右一対の観音開きの外扉３、３を備えている。各外扉３は、図７に示す如く、折れ曲がらない非中折れの扉であってもよいが、図８に示す如く中央で折れ曲がる中折れ扉であっても差し支えない。
【００１８】
仏壇１は、外扉３と内扉（図示せず。）とを備えたものであってもよいが、外扉３のみを有し、内扉を有しないものであっても差し支えない。
【００１９】
仏壇１の正面に露出する外扉３に組子５を嵌め込む。
【００２０】
図示の事例においては、外扉３に組子５ａ、５ｂ、５ｃを組み込んでいる。組子５ａ、５ｃは、細長い木製の板状縦部材７と細長い木製の板状横部材９とにそれぞれ係止溝１１、１３を備えさせ、これらの板状縦部材７と板状横部材９とを係止溝１１、１３を介して相互に組み合わせてなるものである。組子５ｂは、細長い木製の板状傾斜部材１５、１７を係止溝（図示せず。）を介して相互に組み合わせてなるものである。
【００２１】
組子１５は、外扉３に前後２枚配設しても差し支えない。
【００２２】
図４に示す事例においては、仏壇１の正面に露出する外扉３に組子５を嵌め込むと共に該組子５の背面側に板状体１９を配設している。
【００２３】
板状体１９は、不透明板とするが、紙、合成樹脂板、ガラス板等の透光体であっても差し支えない。
【００２４】
図５、図６に示す事例においては、仏壇１の正面に露出する外扉３に透かし彫り２１を備えさせている。透かし彫り２１は、いかなる形状を備えたものであってもよい。
【図面の簡単な説明】
【００２５】
【図１】本考案による仏壇の一例を示す正面図である。
【図２】組子の一部を示す斜視図である。
【図３】同上仏壇の一部を示す断面図である。
【図４】本考案による仏壇の別の一例における一部を示す断面図である。
【図５】本考案による仏壇の更に別の一例を示す正面図である。
【図６】同上仏壇の一部を示す断面図である。
【図７】外扉の一例を示す平面図である。
【図８】外扉の別の一例を示す平面図である。
【符号の説明】
【００２６】
１  仏壇
３  外扉
５  組子
５ａ  組子
５ｂ  組子
５ｃ  組子
７  板状縦部材
９  板状横部材
１１  係止溝
１３  係止溝
１５  板状傾斜部材
１７  板状傾斜部材
１９  板状体
２１  透かし彫り
【図１】
0003103175.tif 000003
【図２】
0003103175.tif 000004
【図３】
0003103175.tif 000005
【図４】
0003103175.tif 000006
【図５】
0003103175.tif 000007
【図６】
0003103175.tif 000008
【図７】
0003103175.tif 000009
【図８】
0003103175.tif 000010